(57)【要約】【課題】例えば離島や無人灯台等に設置されている蓄電池の動作状態等を遠隔的に監視可能とすることで、当該蓄電池の設置場所に赴いての定期的点検等を不要として蓄電池の保守・管理を大幅に簡素化、低コスト化することが可能な蓄電池監視システムを提供する。【解決手段】複数の蓄電池１に各々接続されている蓄電池制御装置１０と、サーバ装置２０と、ＴＣＰ／ＩＰに準拠しつつ各蓄電池制御装置１０とサーバ装置２０とを接続するネットワークＩＴと、により構成される蓄電池監視システムＳにおいて、各蓄電池制御装置１０は、蓄電池１の動作状態等を検出し、検出信号を生成するセンサ群１１と、検出信号をネットワークＩＴを介してサーバ装置２０へ送信する。またサーバ装置２０は、各蓄電池制御装置１０から送信されて来た検出信号を受信し、その検出信号に基づいて、各蓄電池１における動作状態等を各蓄電池１毎にディスプレイ２６に夫々表示する。【選択図】図１
2013009531.tif 000002
【特許請求の範囲】
【請求項１】
一又は複数の蓄電池に各々接続されている蓄電池制御装置と、サーバ装置と、ＴＣＰ／ＩＰ（Transmission Control Protocol/Internet Protocol）に準拠しつつ各前記蓄電池制御装置と前記サーバ装置とを接続するネットワークと、により構成される蓄電池監視システムにおいて、
各前記蓄電池制御装置は、
前記蓄電池の動作状態又は当該蓄電池の周囲の環境状態の少なくともいずれか一方を含む蓄電池状態を検出し、当該蓄電池状態を示す検出信号を生成する検出手段と、
前記生成された検出信号を、前記ネットワークを介して前記サーバ装置へ送信する制御装置送信手段と、
を夫々に備え、
前記サーバ装置は、
各前記蓄電池制御装置から送信されて来た前記検出信号を受信する受信手段と、
各前記受信した検出信号に基づいて、各前記蓄電池における前記蓄電池状態を、各前記蓄電池毎に表示手段に夫々表示する制御手段と、
前記表示手段と、
を備えることを特徴とする蓄電池監視システム。
【請求項２】
請求項１に記載の蓄電池監視システムにおいて、
前記サーバ装置は、各前記受信した検出信号に基づいて、各前記蓄電池状態を各前記蓄電池毎に携帯型無線電話機に電子メール方式により送信するメール送信手段を更に備えることを特徴とする蓄電池監視システム。
【請求項３】
請求項１又は請求項２に記載の蓄電池監視システムにおいて、
前記制御手段は、
各前記蓄電池を夫々示す蓄電池マークを当該各蓄電池毎に前記表示手段に表示するマーク表示制御手段と、
前記表示されている蓄電池マークのいずれかを選択するために用いられる選択手段と、
を更に備え、
当該制御手段は、各前記受信した検出信号に基づいて、夫々の前記蓄電池における前記蓄電池状態が予め設定された基準蓄電池状態に対して良好であるか否かを判定する判定手段を更に備え、
前記選択された蓄電池マークに対応する前記蓄電池における前記蓄電池状態が前記基準蓄電池状態に対して良好であると判定されたとき、当該良好である旨を前記表示手段に表示することを特徴とする蓄電池監視システム。
【請求項４】
請求項１から請求項３のいずれか一項に記載の蓄電池監視システムにおいて、
前記制御手段は、各前記受信した検出信号に基づいて、各前記蓄電池における前記蓄電池状態が予め設定された基準蓄電池状態に対して異常であると判定されたとき、当該異常である旨の警告表示を前記表示手段に表示することを特徴とする蓄電池監視システム。
【請求項５】
請求項４に記載の蓄電池監視システムにおいて、
前記制御手段は、前記異常であると判定されたとき、当該異常の程度を示す異常程度信号を前記蓄電池状態が異常であると判定された前記蓄電池に接続されている前記蓄電池制御装置に送信すると共に、
前記異常程度信号を受信した前記蓄電池制御装置は、当該受信した異常程度信号に基づいて、当該蓄電池制御装置が接続されている前記蓄電器における前記蓄電池状態を表示する状態表示手段を更に備えることを特徴とする蓄電池監視システム。
【請求項６】
請求項４又は請求項５に記載の蓄電池監視システムにおいて、
各前記蓄電池制御装置は、
当該蓄電池制御装置に接続されている前記蓄電池に対する過充電を防止する過充電防止手段と、
前記サーバ装置から送信されて来た駆動信号に基づき前記過充電防止手段を駆動させる駆動手段と、
夫々更に備え、
前記制御手段は、
各前記受信した検出信号に基づいて、いずれかの前記蓄電池における前記蓄電池状態が前記基準蓄電池状態に対して異常であると判定されたとき、当該蓄電池状態が異常であると判定された前記蓄電池に接続されている前記蓄電池制御装置に対して前記駆動信号を送信する駆動信号送信手段を更に備えることを特徴とする蓄電池監視システム。
【請求項７】
請求項１から請求項６のいずれか一項に記載の蓄電池監視システムにおいて、
各前記蓄電池制御装置は、
当該蓄電池制御装置に接続されている前記蓄電池に対する過充電を防止する過充電防止手段と、
前記生成された検出信号に基づいて、前記接続されている蓄電池における前記蓄電池状態が予め設定された基準蓄電池状態に対して良好であるか否かを判定する判定手段と、
前記蓄電池状態が前記基準蓄電池状態に対して異常であると判定されたとき、前記過充電防止手段を駆動させる駆動手段と、
を備えることを特徴とする蓄電池監視システム。
【請求項８】
請求項７に記載の蓄電池監視システムにおいて、
前記制御装置送信手段は、前記蓄電池状態が前記異常であると判定されたとき、当該異常である旨の異常信号を前記サーバ装置に送信することを特徴とする蓄電池監視システム。
【請求項９】
請求項７又は請求項８に記載の蓄電池監視システムにおいて、
各前記蓄電池制御装置は、当該蓄電池制御装置に接続されている前記蓄電池に含まれている電極の表面状態を改質するためのパルス信号を印加する延命手段を更に備え、
前記駆動手段は、前記蓄電池状態が前記基準蓄電池状態に対して異常であると判定されたとき、前記延命手段も併せて駆動させることを特徴とする蓄電池監視システム。
【請求項１０】
請求項１から請求項９のいずれか一項に記載の蓄電池監視システムにおいて、
前記サーバ装置は、
各前記蓄電池状態として将来的に予測される変化を示す予測変化情報を、前記検出信号に対応させて予め記憶する予測変化情報記憶手段と、
受信した各前記検出信号を、各前記蓄電池毎且つ時系列的に蓄積する蓄積手段と、
前記蓄積された検出信号と、前記記憶されている予測変化情報と、に基づいて、前記蓄電池状態としての将来的な変化予測を各前記蓄電池毎に表示する予測表示手段と、
を更に備えることを特徴とする蓄電池監視システム。
【請求項１１】
請求項１から請求項１０のいずれか一項に記載の蓄電池監視システムにおいて、
前記ネットワークは、前記ＴＣＰ／ＩＰに含まれるＳＮＭＰ（Simple Network Management Protocol）に準拠して各前記蓄電池制御装置と前記サーバ装置とを接続することを特徴とする蓄電池監視システム。
【請求項１２】
請求項１から請求項１１のいずれか一項に記載の蓄電池監視システムにおいて、
前記検出手段は、前記蓄電池状態として、前記蓄電池を構成する電槽の温度、前記蓄電池が設置されている部屋の温度及び前記電槽内に貯められている電解液の液位、を夫々検出し、対応する前記検出信号を夫々生成することを特徴とする蓄電池監視システム。
【請求項１３】
請求項１２に記載の蓄電池監視システムにおいて、
前記検出手段は、前記蓄電池状態として更に、前記蓄電池の出力電圧及び内部抵抗値、前記電解液の比重及び前記蓄電池が設置されている施設における停電の発生の有無、を夫々検出し、対応する前記検出信号を夫々生成することを特徴とする蓄電池監視システム。
【請求項１４】
請求項１から請求項１３のいずれか一項に記載の蓄電池監視システムを構成する前記サーバ装置であって、
前記受信手段と、
前記制御手段と、
を備えることを特徴とするサーバ装置。
【請求項１５】
請求項１から請求項１３のいずれか一項に記載の蓄電池監視システムを構成する前記蓄電池制御装置であって、
前記検出手段と、
前記制御装置送信手段と、
を備えることを特徴とする蓄電池制御装置。
【請求項１６】
一又は複数の蓄電池に各々接続されている蓄電池制御装置と、サーバ装置と、ＴＣＰ／ＩＰに準拠しつつ各前記蓄電池制御装置と前記サーバ装置とを接続するネットワークと、により構成される蓄電池監視システムにおいて実行される蓄電池監視方法において、
各前記蓄電池制御装置において、前記蓄電池の動作状態又は当該蓄電池の周囲の環境状態の少なくともいずれか一方を含む蓄電池状態を検出し、当該蓄電池状態を示す検出信号を生成する検出工程と、
各前記蓄電池制御装置において、前記生成された検出信号を、前記ネットワークを介して前記サーバ装置へ送信する制御装置送信工程と、
前記サーバ装置において、各前記蓄電池制御装置から送信されて来た前記検出信号を受信する受信工程と、
前記サーバ装置において、各前記受信した検出信号に基づいて、各前記蓄電池における前記蓄電池状態を、各前記蓄電池毎に表示手段に夫々表示する制御工程と、
を含むことを特徴とする蓄電池監視方法。
【請求項１７】
コンピュータを、請求項１４に記載のサーバ装置として機能させることを特徴とするサーバ装置用プログラム。
【請求項１８】
コンピュータを、請求項１５に記載の蓄電池制御装置として機能させることを特徴とする蓄電池制御装置用プログラム。
【発明の詳細な説明】
【技術分野】
【０００１】
本発明は、蓄電池監視システム及び蓄電池監視方法、サーバ装置及び蓄電池制御装置並びにサーバ装置用プログラム及び蓄電池制御装置用プログラムの技術分野に属し、より詳細には、例えば鉛蓄電池等の蓄電池の動作状態やその動作環境を遠隔的に監視する蓄電池監視システム及び蓄電池監視方法、当該蓄電池監視システムに含まれるサーバ装置及び蓄電池制御装置並びに当該サーバ装置用のプログラム及び蓄電池制御装置用のプログラムの技術分野に属する。
【背景技術】
【０００２】
近年、無人化された灯台や離島に設置された無線局、或いは一般のビル等における非常用電源装置として、例えば鉛蓄電池等の蓄電池が多数個纏めて設置される場合が多くなっている。
【０００３】
一般に、これらの蓄電池自体の寿命は７乃至８年とされており、上記非常用電源装置として当該蓄電池を用いる場合には、この周期で各蓄電池を交換することが必要となる。そして、当該交換の時期を確認する場合、従来では、その蓄電池の管理者が各蓄電池の設置場所を実際に定期的に巡回し、各蓄電池における出力電圧や電解液の液位を一つずつ確認する必要があった。
【０００４】
一方、近年、当該蓄電池自体の寿命を延伸するための技術が、例えば下記特許文献１の如く開発されている。しかしながら、当該蓄電池延命装置についても、それを動作させる場合には、やはりその管理者等が定期的に実際に蓄電池及び当該蓄電池延命装置の設置場所に赴き、蓄電池の消耗状態等の必要に応じて当該蓄電池延命装置を動作させることが行われていた。
【先行技術文献】
【特許文献】
【０００５】
【特許文献１】特開２００６−１１４４３０公報（第１図、第２図）
【発明の概要】
【発明が解決しようとする課題】
【０００６】
しかしながら、上述した非常用電源装置としての蓄電池は、その管理者等が簡単に赴くことができる場所に設定されているとは限らず、例えば上述した無人灯台や離島の無線局、或いは有毒な物質を扱う工場等に設置された蓄電池の場合、容易にその設置場所に赴くことはできず、そのためには多大な時間とコスト及び当該管理者に及ぶ危険等、多くの問題点があった。
【０００７】
そこで、本発明は上記の問題点に鑑みて為されたもので、その課題は、例えば離島や無人灯台等に設置されている蓄電池の動作状態等を遠隔的に監視可能とすることで、当該蓄電池の設置場所に赴いての定期的点検等を不要として蓄電池の保守・管理を大幅に簡素化、低コスト化することが可能な蓄電池監視システム及び蓄電池監視方法、当該蓄電池監視システムに含まれるサーバ装置及び蓄電池制御装置並びに当該サーバ装置用のプログラム及び蓄電池制御装置用のプログラムを提供することにある。
【課題を解決するための手段】
【０００８】
上記の課題を解決するために、請求項１に記載の発明は、一又は複数の蓄電池に各々接続されている蓄電池制御装置と、サーバ装置と、ＴＣＰ／ＩＰ（Transmission Control Protocol/Internet Protocol）に準拠しつつ各前記蓄電池制御装置と前記サーバ装置とを接続するネットワークと、により構成される蓄電池監視システムにおいて、各前記蓄電池制御装置は、前記蓄電池の動作状態又は当該蓄電池の周囲の環境状態の少なくともいずれか一方を含む蓄電池状態を検出し、当該蓄電池状態を示す検出信号を生成するセンサ群等の検出手段と、前記生成された検出信号を、前記ネットワークを介して前記サーバ装置へ送信する制御部等の制御装置送信手段と、を夫々に備え、前記サーバ装置は、各前記蓄電池制御装置から送信されて来た前記検出信号を受信するインターフェース等の受信手段と、各前記受信した検出信号に基づいて、各前記蓄電池における前記蓄電池状態を、各前記蓄電池毎に表示手段に夫々表示するＣＰＵ等の制御手段と、ディスプレイ等の前記表示手段と、を備える。
【０００９】
よって、ＴＣＰ／ＩＰを用いて蓄電池状態を示す検出信号を各蓄電池制御装置からサーバ装置に夫々送信し、当該サーバ装置において当該送信されて来た検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００１０】
上記の課題を解決するために、請求項２に記載の発明は、請求項１に記載の蓄電池監視システムにおいて、前記サーバ装置は、各前記受信した検出信号に基づいて、各前記蓄電池状態を各前記蓄電池毎に携帯型無線電話機に電子メール方式により送信する制御部等のメール送信手段を更に備える。
【００１１】
よって、受信した各検出信号に基づいて、各蓄電池の蓄電池状態を各蓄電池毎に携帯型無線電話機に電子メール方式により送信するので、サーバ装置の設置場所にいない者に対しても、各蓄電池毎の蓄電池状態を送信して認知せしめることができる。
【００１２】
上記の課題を解決するために、請求項３に記載の発明は、請求項１又は請求項２に記載の蓄電池監視システムにおいて、前記制御手段は、各前記蓄電池を夫々示す蓄電池マークを当該各蓄電池毎に前記表示手段に表示するＣＰＵ等のマーク表示制御手段と、前記表示されている蓄電池マークのいずれかを選択するために用いられる操作部等の選択手段と、を更に備え、当該制御手段は、各前記受信した検出信号に基づいて、夫々の前記蓄電池における前記蓄電池状態が予め設定された基準蓄電池状態に対して良好であるか否かを判定するＣＰＵ等の判定手段を更に備え、前記選択された蓄電池マークに対応する前記蓄電池における前記蓄電池状態が前記基準蓄電池状態に対して良好であると判定されたとき、当該良好である旨を前記表示手段に表示するように構成される。
【００１３】
よって、サーバ装置において蓄電池毎に対応する蓄電池マークを選択可能に表示し、選択された蓄電池マークに相当する蓄電池における蓄電池状態が良好であるときにその旨を表示するので、簡易且つ遠隔地においても各蓄電池における動作状態等を確認することができる。
【００１４】
上記の課題を解決するために、請求項４に記載の発明は、請求項１から請求項３のいずれか一項に記載の蓄電池監視システムにおいて、前記制御手段は、各前記受信した検出信号に基づいて、各前記蓄電池における前記蓄電池状態が予め設定された基準蓄電池状態に対して異常であると判定されたとき、当該異常である旨の警告表示を前記表示手段に表示するように構成される。
【００１５】
よって、各蓄電池における蓄電池状態が基準蓄電池状態に対して異常であると判定されたとき、当該異常である旨の警告表示を表示するので、遠隔地においても各蓄電池における動作状態が異常であることを簡易に認識することができる。
【００１６】
上記の課題を解決するために、請求項５に記載の発明は、請求項４に記載の蓄電池監視システムにおいて、前記制御手段は、前記異常であると判定されたとき、当該異常の程度を示す異常程度信号を前記蓄電池状態が異常であると判定された前記蓄電池に接続されている前記蓄電池制御装置に送信すると共に、前記異常程度信号を受信した前記蓄電池制御装置は、当該受信した異常程度信号に基づいて、当該蓄電池制御装置が接続されている前記蓄電器における前記蓄電池状態を表示するディスプレイ等の状態表示手段を更に備える。
【００１７】
よって、いずれかの蓄電池状態が異常であると判定されたとき、当該蓄電池状態を有する蓄電池に接続されている蓄電池制御装置において当該異常である蓄電池動作状態を表示するので、当該蓄電池の点検者が迅速に当該蓄電池動作状態を各蓄電池毎に認識することができる。
【００１８】
上記の課題を解決するために、請求項６に記載の発明は、請求項４又は請求項５に記載の蓄電池監視システムにおいて、各前記蓄電池制御装置は、当該蓄電池制御装置に接続されている前記蓄電池に対する過充電を防止する過充電防止部等の過充電防止手段と、前記サーバ装置から送信されて来た駆動信号に基づき前記過充電防止手段を駆動させる制御部等の駆動手段と、夫々更に備え、前記制御手段は、各前記受信した検出信号に基づいて、いずれかの前記蓄電池における前記蓄電池状態が前記基準蓄電池状態に対して異常であると判定されたとき、当該蓄電池状態が異常であると判定された前記蓄電池に接続されている前記蓄電池制御装置に対して前記駆動信号を送信する駆動信号送信手段を更に備える。
【００１９】
よって、各蓄電池における蓄電池状態が基準蓄電池状態に対して異常であると判定されたとき、当該異常であると判定された蓄電池に接続されている蓄電池制御装置を用いて当該蓄電池の過充電を防止するので、簡易且つ遠隔地においても各蓄電池における動作状態を把握してその過充電状態を回避し、当該蓄電池自体の寿命を延命することができる。
【００２０】
上記の課題を解決するために、請求項７に記載の発明は、請求項１から請求項６のいずれか一項に記載の蓄電池監視システムにおいて、各前記蓄電池制御装置は、当該蓄電池制御装置に接続されている前記蓄電池に対する過充電を防止する過充電防止部等の過充電防止手段と、前記生成された検出信号に基づいて、前記接続されている蓄電池における前記蓄電池状態が予め設定された基準蓄電池状態に対して良好であるか否かを判定する制御部等の判定手段と、前記蓄電池状態が前記基準蓄電池状態に対して異常であると判定されたとき、前記過充電防止手段を駆動させる制御部等の駆動手段と、を備える。
【００２１】
よって、各蓄電池に接続されている蓄電池制御装置自体で当該蓄電池動作状態を認識し、それが異常である場合には当該蓄電池制御装置自体において過充電防止動作を実行するので、例えばサーバ装置との間でデータの接続状態が途切れた場合であっても、各蓄電池における過充電状態の発生を防止してその寿命を延伸することができる。
【００２２】
上記の課題を解決するために、請求項８に記載の発明は、請求項７に記載の蓄電池監視システムにおいて、前記制御装置送信手段は、前記蓄電池状態が前記異常であると判定されたとき、当該異常である旨の異常信号を前記サーバ装置に送信するように構成される。
【００２３】
よって、蓄電池制御装置自ら、それが接続されている蓄電池の過充電を防止しつつ、当該蓄電池に対応する異常信号をサーバ装置に送信するので、サーバ装置において、後ほど当該蓄電池状態が異常であったことを認識することができる。
【００２４】
上記の課題を解決するために、請求項９に記載の発明は、請求項７又は請求項８に記載の蓄電池監視システムにおいて、各前記蓄電池制御装置は、当該蓄電池制御装置に接続されている前記蓄電池に含まれている電極の表面状態を改質するためのパルス信号を印加する過充電防止部等の延命手段を更に備え、前記駆動手段は、前記蓄電池状態が前記基準蓄電池状態に対して異常であると判定されたとき、前記延命手段も併せて駆動させるように構成される。
【００２５】
よって、蓄電池制御装置に接続されている蓄電池に対してパルス信号を印加して夫々の電極を改質するので、蓄電池制御装置自ら、それに接続されている蓄電池の延命を図ることができる。
【００２６】
上記の課題を解決するために、請求項１０に記載の発明は、請求項１から請求項９のいずれか一項に記載の蓄電池監視システムにおいて、前記サーバ装置は、各前記蓄電池状態として将来的に予測される変化を示す予測変化情報を、前記検出信号に対応させて予め記憶するデータベース等の予測変化情報記憶手段と、受信した各前記検出信号を、各前記蓄電池毎且つ時系列的に蓄積するデータベース等の蓄積手段と、前記蓄積された検出信号と、前記記憶されている予測変化情報と、に基づいて、前記蓄電池状態としての将来的な変化予測を各前記蓄電池毎に表示するディスプレイ等の予測表示手段と、を更に備える。
【００２７】
よって、サーバ装置において予測変化情報を記憶すると共に、送信されて来た検出信号と当該記憶されている予測変化情報とに基づいて当該蓄電池としての将来的な変化予測を各蓄電池毎に表示するので、各蓄電池の現在の動作状態等だけでなく将来的な寿命予測等をサーバ装置において認識することができる。
【００２８】
上記の課題を解決するために、請求項１１に記載の発明は、請求項１から請求項１０のいずれか一項に記載の蓄電池監視システムにおいて、前記ネットワークは、前記ＴＣＰ／ＩＰに含まれるＳＮＭＰ（Simple Network Management Protocol）に準拠して各前記蓄電池制御装置と前記サーバ装置とを接続するように構成される。
【００２９】
よって、汎用性のあるＳＮＭＰを用いて蓄電池制御装置とサーバ装置とが接続されているので、各蓄電池制御装置及びサーバ装置夫々の構成を簡略化することができると共に、例えばサーバ装置の電源が断となっていることにより蓄電池制御装置からの検出信号等が当該サーバ装置において受信されない場合でも、自動的に当該検出信号等を再送信させることができる。
【００３０】
上記の課題を解決するために、請求項１２に記載の発明は、請求項１から請求項１１のいずれか一項に記載の蓄電池監視システムにおいて、前記検出手段は、前記蓄電池状態として、前記蓄電池を構成する電槽の温度、前記蓄電池が設置されている部屋の温度及び前記電槽内に貯められている電解液の液位、を夫々検出し、対応する前記検出信号を夫々生成するように構成される。
【００３１】
よって、蓄電池制御装置において、蓄電池状態として電槽温度、蓄電池室の温度及び電解液の液位を夫々検出するので、各蓄電池の動作状態等を正確にサーバ装置において認識することができる。
【００３２】
上記の課題を解決するために、請求項１３に記載の発明は、請求項１２に記載の蓄電池監視システムにおいて、前記検出手段は、前記蓄電池状態として更に、前記蓄電池の出力電圧及び内部抵抗値、前記電解液の比重及び前記蓄電池が設置されている施設における停電の発生の有無、を夫々検出し、対応する前記検出信号を夫々生成するように構成される。
【００３３】
よって、蓄電池制御装置において、蓄電池状態として出力電圧及び内部抵抗値、電解液の比重及び停電の発生の有無を夫々更に検出するので、各蓄電池の動作状態等を更に正確にサーバ装置において認識することができる。
【００３４】
上記の課題を解決するために、請求項１４に記載の発明は、請求項１から請求項１３のいずれか一項に記載の蓄電池監視システムを構成する前記サーバ装置であって、前記受信手段と、前記制御手段と、を備える。
【００３５】
よって、ＴＣＰ／ＩＰを用いて蓄電池状態を示す検出信号を蓄電池制御装置から受信し、その受信した検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００３６】
上記の課題を解決するために、請求項１５に記載の発明は、請求項１から請求項１３のいずれか一項に記載の蓄電池監視システムを構成する前記蓄電池制御装置であって、前記検出手段と、前記制御装置送信手段と、を備える。
【００３７】
よって、ＴＣＰ／ＩＰを用いて蓄電池状態を示す検出信号をサーバ装置に送信し、当該サーバ装置において当該送信されて来た検出信号に基づき各蓄電池における蓄電池状態を当該各蓄電池毎に表示させるので、蓄電池が設置されている場所に対して遠隔地にあるサーバ装置であっても、各蓄電池の動作状態等を蓄電池毎に表示して監視することができる。
【００３８】
上記の課題を解決するために、請求項１６に記載の発明は、一又は複数の蓄電池に各々接続されている蓄電池制御装置と、サーバ装置と、ＴＣＰ／ＩＰに準拠しつつ各前記蓄電池制御装置と前記サーバ装置とを接続するネットワークと、により構成される蓄電池監視システムにおいて実行される蓄電池監視方法において、各前記蓄電池制御装置において、前記蓄電池の動作状態又は当該蓄電池の周囲の環境状態の少なくともいずれか一方を含む蓄電池状態を検出し、当該蓄電池状態を示す検出信号を生成する検出工程と、各前記蓄電池制御装置において、前記生成された検出信号を、前記ネットワークを介して前記サーバ装置へ送信する制御装置送信工程と、前記サーバ装置において、各前記蓄電池制御装置から送信されて来た前記検出信号を受信する受信工程と、前記サーバ装置において、各前記受信した検出信号に基づいて、各前記蓄電池における前記蓄電池状態を、各前記蓄電池毎に表示手段に夫々表示する制御工程と、を含む。
【００３９】
よって、ＴＣＰ／ＩＰを用いて蓄電池状態を示す検出信号を蓄電池制御装置からサーバ装置に送信し、当該サーバ装置において当該送信されて来た検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００４０】
上記の課題を解決するために、請求項１７に記載の発明は、コンピュータを、請求項１４に記載のサーバ装置として機能させる。
【００４１】
よって、当該サーバ装置用プログラムをコンピュータにより読み出して実行することにより、ＴＣＰ／ＩＰを用いて蓄電池状態を示す検出信号を蓄電池制御装置から受信し、その受信した検出信号に基づき各蓄電池における蓄電池状態を当該各蓄電池毎に表示するように当該コンピュータが機能するので、蓄電池が設置されている場所に対して遠隔地にあるサーバ装置であっても、各蓄電池の動作状態等を蓄電池毎に表示して監視することができる。
【００４２】
上記の課題を解決するために、請求項１８に記載の発明は、コンピュータを、請求項１５に記載の蓄電池制御装置として機能させる。
【００４３】
よって、当該蓄電池制御装置用プログラムをコンピュータにより読み出して実行することにより、ＴＣＰ／ＩＰを用いて蓄電池状態を示す検出信号をサーバ装置に送信し、当該サーバ装置において当該送信されて来た検出信号に基づき各蓄電池における蓄電池状態を当該各蓄電池毎に表示させるように当該コンピュータが機能するので、蓄電池が設置されている場所に対して遠隔地にあるサーバ装置であっても、各蓄電池の動作状態等を蓄電池毎に表示して監視することができる。
【発明の効果】
【００４４】
請求項１に記載の発明によれば、ＴＣＰ／ＩＰを用いて蓄電池状態を示す検出信号を各蓄電池制御装置からサーバ装置に夫々送信し、当該サーバ装置において当該送信されて来た検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００４５】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【００４６】
請求項２に記載の発明によれば、請求項１に記載の発明の効果に加えて、受信した各検出信号に基づいて、各蓄電池の蓄電池状態を各蓄電池毎に携帯型無線電話機に電子メール方式により送信するので、サーバ装置の設置場所にいない者に対しても、各蓄電池毎の蓄電池状態を送信して認知せしめることができる。
【００４７】
請求項３に記載の発明によれば、請求項１又は請求項２に記載の発明の効果に加えて、サーバ装置において蓄電池毎に対応する蓄電池マークを選択可能に表示し、選択された蓄電池マークに相当する蓄電池における蓄電池状態が良好であるときにその旨を表示するので、簡易且つ遠隔地においても各蓄電池における動作状態等を確認することができる。
【００４８】
請求項４に記載の発明によれば、請求項１から請求項３のいずれか一項に記載の発明の効果に加えて、各蓄電池における蓄電池状態が基準蓄電池状態に対して異常であると判定されたとき、当該異常である旨の警告表示を表示するので、簡易且つ遠隔地においても各蓄電池における動作状態が異常であることを認識することができる。
【００４９】
請求項５に記載の発明によれば、請求項４に記載の発明の効果に加えて、いずれかの蓄電池状態が異常であると判定されたとき、当該蓄電池状態を有する蓄電池に接続されている蓄電池制御装置において当該異常である蓄電池動作状態を表示するので、当該蓄電池の点検者が迅速に当該蓄電池動作状態を各蓄電池毎に認識することができる。
【００５０】
請求項６に記載の発明によれば、請求項４又は請求項５に記載の発明の効果に加えて、各蓄電池における蓄電池状態が基準蓄電池状態に対して異常であると判定されたとき、当該異常であると判定された蓄電池に接続されている蓄電池制御装置を用いて当該蓄電池の過充電を防止するので、簡易且つ遠隔地においても各蓄電池における動作状態を把握してその過充電状態を回避し、当該蓄電池自体の寿命を延命することができる。
【００５１】
請求項７に記載の発明によれば、請求項１から請求項６のいずれか一項に記載の発明の効果に加えて、各蓄電池に接続されている蓄電池制御装置自体で当該蓄電池動作状態を認識し、それが異常である場合には当該蓄電池制御装置自体において過充電防止動作を実行するので、例えばサーバ装置との間でデータの接続状態が途切れた場合であっても、各蓄電池における過充電状態の発生を防止してその寿命を延伸することができる。
【００５２】
請求項８に記載の発明によれば、請求項７に記載の発明の効果に加えて、蓄電池制御装置自ら、それが接続されている蓄電池の過充電を防止しつつ、当該蓄電池に対応する異常信号をサーバ装置に送信するので、サーバ装置において、後ほど当該蓄電池状態が異常であったことを認識することができる。
【００５３】
請求項９に記載の発明によれば、請求項７又は請求項８に記載の発明の効果に加えて、蓄電池制御装置に接続されている蓄電池に対してパルス信号を印加して夫々の電極を改質するので、蓄電池制御装置自ら、それに接続されている蓄電池の延命を図ることができる。
【００５４】
請求項１０に記載の発明によれば、請求項１から請求項９のいずれか一項に記載の発明の効果に加えて、サーバ装置において予測変化情報を記憶すると共に、送信されて来た検出信号と当該記憶されている予測変化情報とに基づいて当該蓄電池としての将来的な変化予測を各蓄電池毎に表示するので、各蓄電池の現在の動作状態等だけでなく将来的な寿命予測等をサーバ装置において認識することができる。
【００５５】
請求項１１に記載の発明によれば、請求項１から請求項１０のいずれか一項に記載の発明の効果に加えて、汎用性のあるＳＮＭＰを用いて蓄電池制御装置とサーバ装置とが接続されているので、各蓄電池制御装置及びサーバ装置夫々の構成を簡略化することができると共に、例えばサーバ装置の電源が断となっていることにより蓄電池制御装置からの検出信号等が当該サーバ装置において受信されない場合でも、自動的に当該検出信号等を再送信させることができる。
【００５６】
請求項１２に記載の発明によれば、請求項１から請求項１１のいずれか一項に記載の発明の効果に加えて、蓄電池制御装置において、蓄電池状態として電槽温度、蓄電池室の温度及び電解液の液位を夫々検出するので、各蓄電池の動作状態等を正確にサーバ装置において認識することができる。
【００５７】
請求項１３に記載の発明によれば、請求項１２に記載の発明の効果に加えて、蓄電池制御装置において、蓄電池状態として出力電圧及び内部抵抗値、電解液の比重及び停電の発生の有無を夫々更に検出するので、各蓄電池の動作状態等を更に正確にサーバ装置において認識することができる。
【００５８】
請求項１４に記載の発明によれば、ＴＣＰ／ＩＰを用いて蓄電池状態を示す検出信号を蓄電池制御装置から受信し、その受信した検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００５９】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【００６０】
請求項１５に記載の発明によれば、ＴＣＰ／ＩＰを用いて蓄電池状態を示す検出信号をサーバ装置に送信し、当該サーバ装置において当該送信されて来た検出信号に基づき各蓄電池における蓄電池状態を当該各蓄電池毎に表示させるので、蓄電池が設置されている場所に対して遠隔地にあるサーバ装置であっても、各蓄電池の動作状態等を蓄電池毎に表示して監視することができる。
【００６１】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【００６２】
請求項１６に記載の発明によれば、ＴＣＰ／ＩＰを用いて蓄電池状態を示す検出信号を蓄電池制御装置からサーバ装置に送信し、当該サーバ装置において当該送信されて来た検出信号に基づき各蓄電池における蓄電池状態を当該各蓄電池毎に表示するので、蓄電池が設置されている場所に対して遠隔地にあるサーバ装置であっても、各蓄電池の動作状態等を蓄電池毎に表示して監視することができる。
【００６３】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【００６４】
請求項１７に記載の発明によれば、当該サーバ装置用プログラムをコンピュータにより読み出して実行することにより、ＴＣＰ／ＩＰを用いて蓄電池状態を示す検出信号を蓄電池制御装置から受信し、その受信した検出信号に基づき各蓄電池における蓄電池状態を当該各蓄電池毎に表示するように当該コンピュータが機能するので、蓄電池が設置されている場所に対して遠隔地にあるサーバ装置であっても、各蓄電池の動作状態等を蓄電池毎に表示して監視することができる。
【００６５】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【００６６】
請求項１８に記載の発明によれば、当該蓄電池制御装置用プログラムをコンピュータにより読み出して実行することにより、ＴＣＰ／ＩＰを用いて蓄電池状態を示す検出信号をサーバ装置に送信し、当該サーバ装置において当該送信されて来た検出信号に基づき各蓄電池における蓄電池状態を当該各蓄電池毎に表示させるように当該コンピュータが機能するので、蓄電池が設置されている場所に対して遠隔地にあるサーバ装置であっても、各蓄電池の動作状態等を蓄電池毎に表示して監視することができる。
【００６７】
従って、例えば離島や無人灯台に設置されている蓄電池の動作状態等を遠隔的に監視可能とすることで、当該蓄電池の設置場所に実際に赴いての定期的点検等を不要として蓄電池の保守・管理を大幅に簡素化、低コスト化することができる。
【図面の簡単な説明】
【００６８】
【図１】実施形態に係る蓄電池監視システムの概要構成を示すブロック図である。
【図２】実施形態に係る蓄電池制御装置の概要構成を示すブロック図である。
【図３】実施形態に係る蓄電池制御装置の動作を夫々示すフローチャートであり、（ａ）は当該動作の全体を示すフローチャートであり、（ｂ）は実施形態に係る制御部におけるデータ入力処理を示すフローチャートであり、（ｃ）は実施形態に係る制御部におけるデータ出力処理を示すフローチャートであり、（ｄ）は実施形態に係る制御部における自立処理を示すフローチャートである。
【図４】実施形態に係る蓄電池監視システムの運用上表示される表示画面を夫々例示する図（Ｉ）であり、（ａ）は蓄電池選択画面を例示する図であり、（ｂ）は状態表示画面を例示する図である。
【図５】実施形態に係る蓄電池監視システムの運用上表示される表示画面を夫々例示する図（II）であり、（ａ）は履歴表示画面を例示する図であり、（ｂ）は警告画面を例示する図である。
【発明を実施するための形態】
【００６９】
次に、本発明を実施するための最良の形態について、図１乃至図５を用いて説明する。なお、以下に説明する実施形態は、例えば無人灯台や離島の無線局等に設置されている非常用電源としての鉛蓄電池の動作状態等を遠隔的に監視する蓄電池監視システムに対して、本発明を適用した場合の実施の形態である。
【００７０】
（Ｉ）蓄電池監視システムの全体構成
始めに、実施形態に係る蓄電池監視システムの全体構成について説明する。なお、図１は実施形態に係る蓄電池監視システムの概要構成を示すブロック図である。
【００７１】
図１に示すように、実施形態に係る蓄電池監視システムＳは、複数の蓄電池１が設置されている蓄電池施設Ｂと、サーバ装置２０と、携帯型無線電話機（以下、単に携帯電話と称する）Ｍと、ＴＣＰ／ＩＰに準拠し且つ上記蓄電池施設Ｂ、サーバ装置２０及び携帯電話Ｍを相互に接続するインターネット等のネットワークＩＴと、により構成されている。
【００７２】
この構成において、蓄電池施設Ｂには、複数の蓄電池１が非常用電源装置として備えられており、例えば停電時において図示しない電力供給対象に対して必要な電力を供給する。また、蓄電池施Ｂからは、当該各蓄電池１の動作状態及び当該各蓄電池１が設置されている蓄電池室内の気温等を示す検出信号が逐次出力され、ネットワークＩＴを介してＳＮＭＰに準拠しつつサーバ装置２０に送信される。
【００７３】
そして、ネットワークＩＴを介して当該検出信号を受信したサーバ装置２０は、当該受信した検出信号を各蓄電池１毎に識別可能に蓄積・記憶する。これにより、後ほど詳述するように、当該サーバ装置２０において、各蓄電池１の動作状態及び劣化状態の監視、劣化状態に対する将来的な予測、ＳＮＭＰに準拠した緊急時における蓄電池１に対する過充電の防止処理等を実行する。
【００７４】
これと並行して、サーバ装置２０は、予め設定された定期的なタイミングで、又は携帯電話Ｍの操作者からの要求により、各蓄電池１の動作状態を、検出信号に基づきネットワークＩＴを介した電子メール形式により当該携帯電話Ｍに送信する。
【００７５】
（II）蓄電池施設の構成及び動作
次に、蓄電池施設Ｂの細部構成及び動作について、図１及び図２を用いて説明する。なお、図２は実施形態に係る蓄電池制御装置の概要構成を示すブロック図である。
【００７６】
図１に示すように、実施形態に係る蓄電池施設Ｂには、上記複数の蓄電池１に夫々接続された蓄電池制御装置１０と、各蓄電池制御装置１０並びに上記ネットワークＩＴに夫々接続されたローカルネットワークＬＮと、が構成されている。
【００７７】
このとき、当該各蓄電池制御装置１０は、後ほど詳述するように夫々に接続されている蓄電池１の動作状態を検出し、検出信号としてローカルネットワークＬＮに出力すると共に、当該蓄電池１において過充電が発生している場合には、サーバ装置２０からの駆動信号により又は自立的に、当該過充電を防止する処理を当該接続されている蓄電池１に対して実行する。
【００７８】
一方、ローカルネットワークＬＮは、各蓄電池制御装置１０から送信されて来る上記検出信号を、各蓄電池制御装置１０毎に識別可能にネットワークＩＴを介してサーバ装置２０に出力すると共に、当該サーバ装置２０から上記駆動信号が送信されて来ると、その送信先として当該駆動信号において指定されているいずれかの蓄電池制御装置１０に対して当該駆動信号を出力する。
【００７９】
ここで、当該ローカルネットワークＬＮの具体例としては、例えば有線ＬＡＮ（Local Area Network）により当該ローカルネットワークＬＮを構成してもよいし、一部に無線ＬＡＮ区間を有するＬＡＮにより当該ローカルネットワークＬＮを構成してもよい。
【００８０】
また、ネットワークＩＴとローカルネットワークＬＮとの間の回線としては、例えば無線通信接続業者（いわゆるキャリア）が提供する無線回線を用いてもよいし、更に、より遠方の場合は例えば通信衛星を介した無線回線を用いてもよい。
【００８１】
次に、各蓄電池制御装置１０の構成及び動作について説明する。
【００８２】
図１に示すように、各蓄電池制御装置１０は、夫々に、検出手段としてのセンサ群１１と、センサボックス１２と、過充電防止手段及び延命手段としての過充電防止部１３と、により構成されている。
【００８３】
このとき、センサ群１１は、後述するように、それが含まれている蓄電池制御装置１０に接続されている蓄電池１の出力電圧や内部抵抗値の、当該蓄電池１として監視対象となっている物理量の値を検出し、対応する検出信号を夫々センサボックス１２に出力すると共に、当該蓄電池１が設置されている蓄電池室内の気温等を検出して対応する検出信号をセンサボックス１２に出力する。
【００８４】
一方、過充電防止部１３は、例えば上記特許文献１の明細書段落番号［００１２］乃至［００２６］並びに第１図乃至第３図に示される構成（より具体的には、当該特許文献１第２図又は第３図に例示されるパルス信号を、それが接続されている蓄電池１に印加する構成）を備えるものであり、それ自体の駆動は、センサボックス１２からの駆動信号により開始されるものである。そして、当該駆動信号が入力されることにより、蓄電池１の過充電を防止すると共に、当該蓄電池１の図示しない各電極に付着しているサルフェーションを除去してその寿命を延伸する。
【００８５】
そして、センサボックス１２は、後述するように、上記センサ群１１を構成する各センサからの検出信号を夫々受信し、これらをローカルネットワークＬＮ及びネットワークＩＴを介してサーバ装置２０へ出力すると共に、当該サーバ装置２０から過充電防止部１３を駆動するための上記駆動信号が出力されて来たときは、当該駆動信号を用いて過充電防止部１３を駆動させる。
【００８６】
また、後述するように、センサボックス１２は、サーバ装置２０からの駆動信号を受信していない（又は受信できない）状態でも、自立的に、センサ群１１からの検出信号に基づき、過充電防止部１３を駆動させて蓄電池１における過充電を防止してその寿命の延伸を図る。
【００８７】
次に、上記蓄電池制御装置１０の細部構成について、図２を用いて説明する。
【００８８】
図２に示すように、蓄電池制御部１０は、温度センサ４０と、比重センサ４と、電槽温度センサ５と、液位センサ６と、インターフェース４１乃至４６と、蓄電池施設Ｂにおける停電の有無を検出して対応する検出信号を生成する停電検出部４７と、制御装置送信手段、駆動手段及び判定手段としての制御部５０と、例えば発光ダイオードディスプレイ等からなる状態表示手段としてのディスプレイ５１と、により構成されている。
【００８９】
ここで、実施形態に係る蓄電池監視システムＳにおける上記監視対象の物理量とは、具体的には、各蓄電池１が設置されている蓄電池室内の「室温」、各蓄電池１を構成している電槽（電解液槽）の温度（「電槽温度」）、当該電槽内に貯められている電解液の「液位」、各蓄電池１の出力「電圧」及び「内部抵抗値」、当該電解液の「比重」及び蓄電池施設Ｂ全体又は上記蓄電地室単独における停電の発生の有無、の七つであり、蓄電池制御装置１０から送信される上記検出信号は、夫々上記各物理量に一対一に対応している。
【００９０】
このため、上記センサ群１０は、当該蓄電池室内の温度を検出し、その検出値を含む上記検出信号を生成する上記温度センサ４０と、上記電解液槽の温度を検出し、その検出値を含む上記検出信号を生成する上記電槽温度センサ５と、上記電解液の液位を検出し、その検出値を含む上記検出信号を生成する上記液位センサ６と、上記電解液の比重を検出し、その検出値を含む上記検出信号を生成する上記比重センサ４と、を含んでいる。そして更に、上記蓄電池１の出力電圧及び内部抵抗値を検出すべく、蓄電池１の端子２及び３が、当該蓄電池１が本来電力を供給すべき対象物の他に、センサボックス１２内のインターフェース４２を介して制御部５０にも接続されている。
【００９１】
なお、蓄電池１は、対応する過充電防止部１３の電源電力の供給源でもあるため、上記端子２及び３は、当該過充電防止部１３にも接続されている。
【００９２】
そして、温度センサ４０からの検出信号はインターフェース４１を介して制御部５０に出力され、比重センサ４からの検出信号はインターフェース４５を介して制御部５０に出力され、電槽温度センサ５からの検出信号はインターフェース４４を介して制御部５０に出力され、更に液位センサ６からの検出信号はインターフェース４３を介して制御部５０に出力されている。
【００９３】
これらにより、制御部５０は、各センサ及び停電検出部４７からの各検出信号を、夫々ローカルネットワークＬＮ及びネットワークＩＴを介してサーバ装置２０に出力すると共に、当該サーバ装置２０から過充電防止部１３を駆動するための上記駆動信号が出力されて来たときには、これをインターフェース４６を介して過充電防止部１３に出力する。また、制御部５０は、サーバ装置２０からの駆動信号を受信していない（又は受信できない）状態でも、上述したように、自立的に過充電防止部１３を駆動させて蓄電池１における過充電を防止してその寿命の延伸を図る。
【００９４】
更に、制御部５０は、サーバ装置２０から後述する異常信号が送信されて来たとき、当該異常信号として送信されて来た蓄電池１の動作状態を、ディスプレイ５１を用いて、例えば段階的に色が変わるインジケータ等により認識可能に表示させる。
【００９５】
（III）サーバ装置の構成及び動作
次に、実施形態に係るサーバ装置２０の細部構成及び動作について、図１を用いて説明する。
【００９６】
図１に示すように、実施形態に係るサーバ装置２０は、例えばパーソナルコンピュータ又はサーバコンピュータ等として構成されるものであり、具体的には、例えばハードディスク装置等からなる予測変化情報蓄積手段及び蓄積手段としてのデータベース２１と、ＲＡＭ（Random Access Memory）領域及びＲＯＭ（Read Only Memory）領域を備えるメモリ２２と、ネットワークＩＴとの間における入力／出力インターフェース処理を実行する受信手段としてのインターフェース２３と、キーボード及びマウス等からなる選択手段としての入力部２４と、制御手段、メール送信手段、マーク表示制御手段及び判定手段としてのＣＰＵ２５と、液晶ディスプレイ等からなる表示手段及び予測表示手段としてのディスプレイ２６と、により構成されている。
【００９７】
この構成において、データベース２１には、後ほど詳述するように、各蓄電池１の動作状態及び動作環境を夫々示す情報が、上記蓄電池施設Ｂ毎並びに各蓄電池１毎に蓄積・記憶されている。
【００９８】
一方、インターフェース２３を介して入力されて来た各蓄電池制御装置１０からの各検出信号は、ＣＰＵ２５を介してデータベース２１内の対応する情報領域に記憶される。
【００９９】
他方、ＣＰＵ２５は、当該データベース２１内に蓄積されている各情報を用いて、後述する監視画面等をディスプレイ２６に表示する。そして、当該ディスプレイ２６上の表示に基づき、操作部２４により例えば一つの蓄電池１が選択されると、当該選択された蓄電池１についてデータベース２１内に蓄積されている各種情報に基づき、当該選択された蓄電池１の現在の動作状況をディスプレイ２６上に表示する。
【０１００】
更に、ＣＰＵ２５は、各蓄電池１について予め設定されている基準動作条件に基づき、各蓄電池１の動作状態が良好であるか異常であるかを、後述する各監視対象の物理量毎に判定し、それが良好である場合はその旨を表示すると共に、それが異常である場合はその旨の警告をディスプレイ２６上に表示する。
【０１０１】
更にまた、ＣＰＵ２５は、上記動作状態が異常であることが判定されたとき、操作部２４における操作に基づき、当該異常な動作状態にある蓄電池１が接続されている蓄電地制御装置１０内の過充電防止部１３を駆動させるための上記駆動信号を、インターフェース２３並びにネットワークＩＴ及びローカルネットワークＬＮを介して当該蓄電池制御装置１０に出力し、当該過充電防止部１３を駆動させる。
【０１０２】
更に、ＣＰＵ２５は、予め設定された定期的なタイミングで、又は携帯電話Ｍの操作者からの要求により、各蓄電池１の動作状態を、検出信号に基づきネットワークＩＴを介した電子メール形式により当該携帯電話Ｍに送信する。
【０１０３】
次に、上記データベース２１内に蓄積・記憶されている情報の構成（データ構造）について説明する。
【０１０４】
図１に示すように、データベース２１内には、一つの蓄電池施設Ｂに対応する蓄電池施設情報１００が、一つの蓄電池施設Ｂ毎に且つサーバ装置２０の監視下にある蓄電池施設Ｂの数だけ蓄積されている。
【０１０５】
そして、一つの蓄電池施設情報１００には、一つの蓄電池１に対応する蓄電池情報１１０が、当該蓄電池施設情報１００に対応する蓄電池施設Ｂ内に設置されている蓄電池１の数（換言すれば、蓄電池制御装置１０の数）だけ含まれている。
【０１０６】
更に、一つの蓄電池情報１１０には、劣化状況情報１１１と、室温情報１１２と、電槽温度情報１１３と、液位情報１１４と、電圧情報１１５と、比重情報１１６と、内部抵抗値情報１１７と、により構成されている。
【０１０７】
そして、上記蓄電池情報１１０内の室温情報１１２、電槽温度情報１１３、液位情報１１４、電圧情報１１５、比重情報１１６及び内部抵抗値情報１１７は、夫々、対応する蓄電池１における上記「室温」、「電槽温度」、「液位」、「電圧」、「比重」及び「内部抵抗値」に一対一に対応しており、夫々を示す検出信号が新たに蓄電池制御装置１０から送信されて来る度に、当該送信されて来た検出信号の内容で更新される。
【０１０８】
なお、劣化状況情報１１１については、室温情報１１２等により示される物理量と上記基準動作条件の内容とを例えば予め設定された一定時間毎に比較し、対応する蓄電池１の動作状態が良好であるときはその旨更新され、一方、劣化しつつあるとき、又は動作状態が異常であるときはその旨更新される。
【０１０９】
また、各物理量毎の値は、予め設定された期間だけ保存され、履歴として後の時点で閲覧可能とされる。
【０１１０】
（IV）実施形態に係る監視動作
次に、上述してきた構成を備える、実施形態に係る制御部５０を中心として実行される監視動作について、纏めて図３乃至図５を用いて説明する。なお、図３は実施形態に係る蓄電池制御装置の動作を夫々示すフローチャートであり、図４及び図５は実施形態に係る蓄電池監視システムの運用上表示される表示画面を夫々例示する図である。
【０１１１】
図３（ａ）に示すように、実施形態に係る監視動作として、制御部５０においては、それを含む蓄電池制御装置１０としての電源がオンとされると、予め設定されたメモリクリア等の初期化処理が実行され（ステップＳ１）、その後後ほど詳述するデータ入力処理（ステップＳ１０）、データ出力処理（ステップＳ２０）及び制御部５０としての自立処理（ステップＳ３０）が各々並行して実行され、その後当該電源がオフとされたか否かが確認される（ステップＳ２）。
【０１１２】
そして、継続して電源がオンとされているときは（ステップＳ２；ＮＯ）、上記ステップＳ１０に戻って上述してきた処理をくり返し、一方、電源がオフとされたときは（ステップＳ２；ＹＥＳ）、当該制御部５０（換言すれば蓄電池制御装置１０）としての動作を終了する。
【０１１３】
次に、上記データ入力処理（ステップＳ１０）について、より詳細に図３（ｂ）を用いて説明する。
【０１１４】
図３（ｂ）に示すように、当該データ入力処理では、始めに、各検出信号が入力されてくるインターフェース４１乃至４５及び停電検出部４７に夫々対応する入力ポートの番号を示すカウンタ値を、当該番号の最大値「６」に設定する（ステップＳ１１）。
【０１１５】
次に、そのときのループカウンタのカウント値により番号が示されている入力ポートについて、予め例えば一定間隔（例えば１秒毎等）に設定されている検出信号の取り込みタイミングが到来したか否かを確認する（ステップＳ１２）。
【０１１６】
そして、当該取り込みタイミングが到来していないときは（ステップＳ１２；ＮＯ）そのまま待機し、一方、当該取り込みタイミングが到来しているときは（ステップＳ１２；ＹＥＳ）、次に、そのときのループカウンタのカウント値により番号が示されている入力ポートに接続されているインターフェースから検出信号を取り込み（ステップＳ１３）、その取り込んだ検出信号の値を図示しないレジスタに格納（記憶）（ステップＳ１４）すると同時に、取得した値の内容を示すＳＮＭＰトラップ信号を、ＴＣＰ／ＩＰプロトコルを使用して上位サーバ装置２０に送信した後（ステップＳ１５）、現在のループカウンタのカウント値を「１」だけデクリメントする（ステップＳ１６）。
【０１１７】
次に、当該カウント値が「０」となったか、すなわち、インターフェース４１乃至４５及び停電検出部４７の全てから検出信号を取り込んだか否かを確認し（ステップＳ１７）、全てのインターフェースから取り込み済であるときは（ステップＳ１７；ＹＥＳ）そのまま図３（ａ）に示すステップＳ２の処理に移行し、一方、当該カウント値が「０」となっていないときは（ステップＳ１７；ＮＯ）、引き続き残りのインターフェースからの検出信号の取り込みを続けるべく上記ステップＳ１３に移行する。
【０１１８】
次に、上記データ出力処理（ステップＳ２０）について、より詳細に図３（ｃ）を用いて説明する。
【０１１９】
図３（ｃ）に示すように、当該データ出力処理では、始めに、上記レジスタに格納されている各検出信号夫々対応する出力ポートの番号を示すカウンタ値を、当該番号の最大値「５」に設定する（ステップＳ２１）。
【０１２０】
次に、そのときのループカウンタのカウント値により番号が示されている出力ポートについて、予め例えば一定間隔（例えば1秒毎等）に設定されている検出信号の出力タイミングが到来したか否かを確認する（ステップＳ２２）。
【０１２１】
そして、当該出力タイミングが到来していないときは（ステップＳ２２；ＮＯ）そのまま待機し、一方、当該出力タイミングが到来しているときは（ステップＳ２２；ＹＥＳ）、次に、そのときのループカウンタのカウント値に対応するレジスタ（当該レジスタには、任意のタイミングで、サーバ装置２０から、ネットワークＩＴ経由でＳＮＭＰパケット信号として、制御部５０の対応する出力ポートに出力させるための出力信号が格納されているものとする）の値を読み込み（ステップＳ２３）、その読み込んだ検出信号の値を制御部５０の当該対応する出力ポートへ出力し（ステップＳ２４）、現在のループカウンタのカウント値を「１」だけデクリメントする（ステップＳ２５）。
【０１２２】
次に、当該カウント値が「０」となったか、すなわち、レジスタに格納されている全ての検出信号を出力したか否かを確認し（ステップＳ２６）、全ての検出信号が出力済であるときは（ステップＳ２６；ＹＥＳ）そのまま図３（ａ）に示すステップＳ３０の処理に移行し、一方、当該カウント値が「０」となっていないときは（ステップＳ２６；ＮＯ）、引き続き残りの検出信号の出力を行うべく上記ステップＳ２３に移行する。
【０１２３】
最後に、上記自立処理（ステップＳ３０）について、より詳細に図３（ｄ）を用いて説明する。なお、実施形態に係る自立処理としては、具体的には、制御部５０から駆動信号出力して過充電防止部１３を駆動させる処理を言う。
【０１２４】
図３（ｄ）に示すように、当該自立処理では、始めに、当該自立処理を行うべきか否かを確認すべきものとして予め例えば一定間隔（例えば１秒毎等）に設定されている実行確認タイミングが到来したか否かを確認する（ステップＳ３１）。
【０１２５】
そして、当該実行確認タイミングでないときは（ステップＳ３１；ＮＯ）、そのまま図３（ａ）に示すステップＳ２の処理に移行し、一方、当該実行確認タイミングが到来しているときは（ステップＳ３１；ＹＥＳ）、制御部５０としての自立処理を実行すべき状態であるか否かを、そのときに上記レジスタに夫々格納されている各検出信号の内容と上記基準動作条件の内容とを比較することにより確認する（ステップＳ３２、Ｓ３３）。
【０１２６】
ここで、当該ステップＳ３２及びＳ３３の処理として具体的には、例えば、上記温度センサ４０から出力されて来た検出信号により示される室温と、上記電槽温度センサ５から出力されて来た検出信号により示される電槽温度と、の差が予め設定されている差以上に電槽温度が高い場合であり且つサーバ装置２０との間のデータの授受ができない場合、或いは、上記液位センサ６から出力されて来た検出信号により示される液位が予め設定された最低液位より低い場合であり且つサーバ装置２０との間のデータの授受ができない場合等、過充電防止部１３を自立的に駆動させるべき場合として上記基準動作条件に対応して予め定められている条件に各検出信号の内容が合致しているか否かを確認する。
【０１２７】
そして、当該自立処理を実行すべき状態でないときは（ステップＳ３３；ＮＯ）、そのまま図３（ａ）に示すステップＳ２の処理に移行し、一方、当該自立処理を実行すべき状態であるときは（ステップＳ３３；ＹＥＳ）、過充電防止部１３に上記駆動信号を出力して当該過充電防止部１３を動作させると共にディスプレイ５１における表示内容を更新し（ステップＳ３４）、更に当該異常であることに対応して過充電防止部１３を駆動させた旨を示す異常信号をサーバ装置２０に送信した後に、図３（ａ）に示すステップＳ２の処理に移行する。これにより、当該サーバ装置２０においては、その旨がディスプレイ２６上に表示されることとなる。
【０１２８】
次に、各蓄電池制御部２０における上記制御部５０としての動作に対応してサーバ装置２０において実行される動作について、図４及び図５を用いて説明する。
【０１２９】
先ず、通常の監視状態、すなわち、各蓄電池制御部１０から送信されて来た検出信号をサーバ装置２０において受信し、これをデータベース２１内に蓄積することを繰り返すと共に、当該各検出信号の内容と上記基準動作条件の内容とを予め設定された一定時間毎に比較することにより各蓄電池１の動作状態を監視している段階では、例えば図４（ａ）に例示する蓄電池選択画面２００がディスプレイ２６上に表示されている。
【０１３０】
このとき、当該蓄電池選択画面２００としては、例えば図４（ａ）に示すように、データベース２１内におけるデータ構造（図１参照）に基づいて各蓄電池施設Ｃ及び当該蓄電池施設Ｂ内の蓄電池１をツリー上に表示するノード表示欄２０１と、当該ノード表示欄２０１においてカーソルＣを用いて選択された蓄電池施設Ｂ及び当該蓄電池施設Ｂに備えられている蓄電池１個々を表示する詳細表示欄２０２が含まれていることが望ましい。そして、当該ノード表示欄２０１及び詳細表示欄２０２には、各蓄電池１に夫々相当する蓄電池マーク２０３が、操作部２４の操作により選択可能に表示されている。
【０１３１】
この蓄電池選択画面２００が表示されている状態において、図４（ａ）に例示するようにその詳細表示欄２０２で一つの蓄電池マーク２０３がカーソルＣにより選択されると、当該選択された蓄電池マーク２０３に相当する蓄電池１に対応する上記蓄電池情報１１０の内容を、例えば図４（ｂ）に示す状態表示画面２０５としてディスプレイ２６上に表示する。
【０１３２】
このとき、当該状態表示画面２０５としては、例えば図４（ｂ）に示すように、その蓄電池１を識別するべく蓄電池施設Ｂの名称（図４（ｂ）において「ビルＡ」及び「蓄電池室４」と例示する）及び蓄電池１の番号（図４（ｂ）において「１１番」と例示する）を表示する識別情報欄２０６と、当該蓄電池１（図４（ｂ）に例示する場合は「１１番」）の動作状態等を具体的に示す詳細表示欄２０７が含まれていることが望ましい。ここで、当該識別情報欄２０６には、上記劣化状況情報１１１に基づいてその蓄電池１の動作状態が良好であるか否かを示す状態表示マーク２０９が含まれており、また詳細表示欄２０７には、当該蓄電池１の動作状態としての履歴を見る際に操作される履歴データ参照ボタン２０８が含まれている。
【０１３３】
そして、図４（ｂ）に例示する状態表示画面２０５において上記履歴データ参照ボタン２０８が操作された場合には、ＣＰＵ２５によりデータベース２１内に蓄積されている履歴としての情報を用いて、例えば図５（ａ）に例示する履歴表示画面２１０がディスプレイ２６上に表示される。
【０１３４】
このとき、当該履歴表示画面２１０としては、例えば図５（ａ）に示すように、上記識別情報欄２０６の他に、指定されたデータ（図５（ａ）に例示する場合は、「室温」と「電槽温度」）の指定された期間（図５（ａ）に例示する場合は、２００６年７月１４日午前９時から同日午後６時まで）におけるデータを例えば折れ線グラフ等を用いて表示する履歴表示欄２１１が含まれていることが望ましい。ここで、当該履歴表示欄２１１には、当該履歴表示欄２１１に表示されているデータを外部に出力する場合に操作されるデータ出力ボタン２１２が含まれている。
【０１３５】
一方、上記蓄電池選択画面２００を表示した通常の監視状態において、いずれかの蓄電池１の動作状態が異常になったことが判明した場合には、その動作状態が異常となった旨の警告表示が、例えば図５（ｂ）に例示する警告画面２１５の如く表示される。
【０１３６】
そして、当該警告画面２１５により動作状態が異常であることが認識されると、操作部２４における操作内容に則り、ＣＰＵ２５は、上記過充電防止部１３に対する上記駆動信号を生成し、ネットワークＩＴ及びローカルネットワークＬＮを介して対応する蓄電池制御装置１０に送信することになる。これにより、当該駆動信号に基づいて対応する過充電防止部１３が駆動されることにより、当該過充電防止部１３が接続されている蓄電池１の動作状態が改善され得ることになる。
【０１３７】
また、ＣＰＵ２５から当該動作状態が異常である旨の異常信号をネットワークＩＴ及びローカルネットワークＬＮを介して蓄電池制御装置１０に送信することにより、上記制御部５０によりその旨がディスプレイ５１上の表示として表示されることとなる。
【０１３８】
以上説明したように、実施形態の蓄電池監視システムＳの動作によれば、ＴＣＰ／ＩＰを用いて各蓄電池１の動作状態等を示す検出信号を各蓄電池制御装置１０からサーバ装置２０に夫々送信し、当該サーバ装置２０において当該送信されて来た検出信号に基づき各蓄電池１の動作状態等を当該各蓄電池１毎に表示するので、蓄電池１が設置されている場所に対して遠隔地にあるサーバ装置２０であっても、各蓄電池１の動作状態等を蓄電池１毎に表示して監視することができる。
【０１３９】
従って、例えば離島や無人灯台に設置されている蓄電池１の動作状態等を遠隔的に監視可能とすることで、当該蓄電池１の設置場所に実際に赴いての定期的点検等を不要として蓄電池１の保守・管理を大幅に簡素化、低コスト化することができる。
【０１４０】
また、サーバ装置２０において受信した各検出信号に基づいて、各蓄電池１の動作状態等を各蓄電池１毎に携帯電話Ｍに電子メール方式により送信するので、サーバ装置２０の設置場所にいない者に対しても、各蓄電池１毎の動作状態等を送信して認知せしめることができる。
【０１４１】
更に、サーバ装置２０において蓄電池１毎に対応する蓄電池マーク２０３を選択可能に表示し、選択された蓄電池マーク２０３に相当する蓄電池１における動作状態等が良好であるときにその旨を表示するので、簡易且つ遠隔地においても各蓄電池１における動作状態等を確認することができる。
【０１４２】
更にまた、各蓄電池１における動作状態等が基準動作条件に対して異常であると判定されたとき、当該異常である旨の警告画面２１５を表示するので、遠隔地においても各蓄電池１における動作状態が異常であることを簡易に認識することができる。
【０１４３】
また、いずれかの蓄電池１の動作状態等が異常であると判定されたとき、当該蓄電池１に接続されている蓄電池制御装置１０において当該異常である旨を表示するので、当該蓄電池１の点検者が迅速に当該蓄電池１の動作状態を各蓄電池１毎に認識することができる。
【０１４４】
更に、各蓄電池１における動作状態等が基準動作条件に対して異常であると判定されたとき、当該異常であると判定された蓄電池１に接続されている蓄電池制御装置１０を用いて当該蓄電池１の過充電を防止するので、簡易且つ遠隔地においても各蓄電池１における動作状態を把握してその過充電状態を回避し、当該蓄電池１自体の寿命を延命することができる。
【０１４５】
更にまた、各蓄電池１に接続されている蓄電池制御装置１０自体で当該蓄電池１の動作状態等を認識し、それが異常である場合には当該蓄電池制御装置１０自体において過充電防止動作を実行するので、例えばサーバ装置２０との間でデータの接続状態が途切れた場合であっても、各蓄電池１における過充電状態の発生を防止してその寿命を延伸することができる。
【０１４６】
また、汎用性のあるＳＮＭＰを用いて蓄電池制御装置１０とサーバ装置２０とが接続されているので、各蓄電池制御装置１０及びサーバ装置２０夫々の構成を簡略化することができると共に、例えばサーバ装置２０の電源が断となっていることにより蓄電池制御装置１０からの検出信号等が当該サーバ装置２０において受信されない場合でも、自動的に当該検出信号等を再送信させることができる。
【０１４７】
更にまた、蓄電池制御装置１０において、各蓄電池１の動作状態等として、電槽温度、蓄電池１室の温度、電解液の液位、出力電圧及び内部抵抗値、電解液の比重及び停電の発生の有無を夫々更に検出するので、各蓄電池１の動作状態等を更に正確にサーバ装置２０において認識することができる。
【０１４８】
なお、上述した実施形態の構成に加えて、蓄電池１における一般的な劣化の進行状況を示す情報を上記各検出信号の値に対応させてデータベース２１内に記憶しておけば、当該記憶されている劣化の進行状況と現在の各検出信号の値とを対応付けて表示することで、各蓄電池１の現在の動作状態等だけでなく将来的な寿命予測等をサーバ装置２０において認識するように構成することも可能である。
【０１４９】
また、蓄電池制御装置１０自身において、それが接続されている蓄電池１の動作状態における異常を検出したとき、過充電防止部１３を動作させてそれが接続されている蓄電池１の過充電を自ら防止しつつ、当該異常である旨の異常信号をサーバ装置２０に送信することで、サーバ装置２０において、後ほど当該各蓄電池１の動作状態等が異常であったことを認識するように構成することもできる。
【０１５０】
更に、図３に夫々示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係る制御部５０として活用することも可能である。
【産業上の利用可能性】
【０１５１】
以上夫々説明したように、本発明は蓄電池の動作状態を監視する蓄電池監視システムの分野に利用することが可能であり、特に遠隔地又は無人の施設に設置されている蓄電池の動作状態を監視する蓄電池監視システムの分野に適用すれば特に顕著な効果が得られる。
【符号の説明】
【０１５２】
１    蓄電池
４    比重センサ
５    電槽温度センサ
６    液位センサ
２０    サーバ装置
２１    データベース
２２    メモリ
２３    インターフェース
２４    入力部
２５    ＣＰＵ
２６    ディスプレイ
１０    蓄電池制御装置
１１    センサ群
１２    センサボックス
１３    過充電防止部
１４    バッテリ延命装置
４０    温度センサ
４１、４２、４３、４４、４５、４６    インターフェース
４７    停電検出部
５０    制御部
５１    ディスプレイ
１００    蓄電池施設情報
１１０    蓄電池情報
１１１  劣化状況情報
１１２    室温情報
１１３    電槽温度情報
１１４    液位情報
１１５    電圧情報
１１６    比重情報
１１７    内部抵抗値情報
２００    蓄電池選択画面
２０１    ノード表示欄
２０２    詳細表示欄
２０３    蓄電池マーク
２０５    状態表示画面
２０６    識別情報欄
２０７    詳細表示欄
２０９    状態表示マーク
２０８    履歴データ参照ボタン
２１０    履歴表示画面
２１１    履歴表示欄
２１２    データ出力ボタン
２１５    警告画面
Ｓ    蓄電池監視システム
Ｂ    蓄電池施設
Ｍ    携帯電話
Ｃ    カーソル
ＩＴ    ネットワーク
ＬＮ    ローカルネットワーク
【図１】
2013009531.tif 000003
【図２】
2013009531.tif 000004
【図３】
2013009531.tif 000005
【図４】
2013009531.tif 000006
【図５】
2013009531.tif 000007